(57)【要約】【課題】レーザー・モジュールのパワーを穏やかに出力でき、環境，温度により影響を及ぼさないパワー制御装置及びその方法を提供する。【解決手段】パワー制御装置は、一つのフィードバック・ユニット１２，一つのディジタル制御ユニット１４と一つの駆動ユニット１６を含んでなり、中でもフィードバック・ユニット１２がレーザー・モジュールのパワー出力を検出し且つ検出信号を対応的に出力し、当該ディジタル制御ユニット１４が当該検出信号と、対照表を介して見付けられ温度補償効果を具備する仕事パラメーター信号とを比較し、また比較した結果に基づいて一つの駆動信号を駆動ユニット１６に出力し、当該駆動ユニット１６が駆動信号に基づいてレーザー・モジュールの駆動電流を制御する。【選択図】図１
2007005753.tif 000002
【特許請求の範囲】
【請求項１】
レーザー・モジュールのパワー出力を制御するパワー制御装置であって、
当該レーザー・モジュールのパワー出力を検出し、且つ検出信号を対応的に生成するフィードバック・ユニットと、
校正パラメーター表及び温度検出器を具備し、当該校正パラメーター表が異なる温度下では当該レーザー・モジュールの対応する仕事パラメーター信号の関係を記録し、ディジタル制御ユニットが当該検出信号を受信するように用いられ、且つ当該温度検出器に基づいて環境温度のある温度値を検出することにより、対照表の方式にて当該校正パラメーター表の中から当該温度値の対応する当該仕事パラメーター信号を見付け、且つ当該検出信号と対照表にて見付けられた当該仕事パラメーター信号とを比較することにより駆動信号を出力するディジタル制御ユニットと、
当該ディジタル制御ユニットの出力した当該駆動信号を受信することにより当該レーザー・モジュールを駆動する駆動ユニットとを含み、
中でも当該検出信号が対照表にて見付けられた当該仕事パラメーター信号よりも大きくなる時に、当該ディジタル制御ユニットは当該駆動信号の駆動能力を低減し、そして当該検出信号が対照表にて見付けられた当該仕事パラメーター信号よりも小さくなる時に、当該ディジタル制御ユニットは当該駆動信号の駆動能力を向上することを特徴とするパワー制御装置。
【請求項２】
当該フィードバック・ユニットは、
当該レーザー・モジュールのパワー出力を検出する検出器と、
当該検出器の検出した結果を増幅することにより当該検出信号を取得する増幅器と含むことを特徴とする請求項１記載のパワー制御装置。
【請求項３】
当該検出器は、光検出器であることを特徴とする請求項２記載のパワー制御装置。
【請求項４】
当該仕事パラメーター信号は、異なる温度下では当該レーザー・モジュールの対応する必要な多項の開始電流出力パラメーターとパワー・パラメーターであることを特徴とする請求項１記載のパワー制御装置。
【請求項５】
当該ディジタル制御ユニットは、マイクロプロセッサー，マイクロコントローラー，ディジタル信号プロセッサー（ＤＳＰ），特定用途向け集積回路ＩＣ（ＡＳＩＣ）またはプログラマブル・ロジック回路であることを特徴とする請求項１記載のパワー制御装置。
【請求項６】
当該駆動ユニットは、電流駆動ユニットであることを特徴とする請求項１記載のパワー制御装置。
【請求項７】
過電流保護ユニットをさらに含み、過電流保護ユニットは、当該レーザー・モジュールの仕事電流を検出し、且つ当該レーザー・モジュールの仕事電流を当該ディジタル制御ユニットへ入力し、当該ディジタル制御ユニットにて当該レーザー・モジュールの仕事電流が予め設定された値を上回るかどうかを判断することにより、当該レーザー・モジュールの仕事電流のオフを決定することを特徴とする請求項１記載のパワー制御装置。
【請求項８】
当該レーザー・モジュールは、レーザー・ダイオード励起式固体レーザーであることを特徴とする請求項１記載のパワー制御装置。
【請求項９】
レーザー・モジュールのパワー出力を制御するパワー制御方法であって、
当該レーザー・モジュールのパワー出力を検出し且つ検出信号を対応的に生成することと、
ディジタル制御ユニットを提供し、当該ディジタル制御ユニットが校正パラメーター表を具備し、当該校正パラメーター表が異なる温度下では当該レーザー・モジュールの対応する仕事パラメーター信号の関係を記録することと、
環境の温度を検出し且つ温度値を対応的に生成することと、
当該ディジタル制御ユニットが当該温度値に対し対照表の方式にて当該校正パラメーター表の中から当該温度値の対応する当該仕事パラメーター信号を見付けることと、
当該ディジタル制御ユニットが当該検出信号と対照表にて見付けられた当該仕事パラメーター信号とを比較することにより駆動信号を出力することと、
当該駆動信号を当該レーザー・モジュールへ出力することとを含む特徴とするパワー制御方法。
【請求項１０】
当該レーザー・モジュールのパワー出力を検出するのは、光検出器により当該レーザー・モジュールに対し検出を行い、且つ検出された後における信号を増幅することにより、当該検出信号を取得することを特徴とする請求項9記載のパワー制御方法。
【請求項１１】
当該ディジタル制御ユニットは、マイクロプロセッサー，マイクロコントローラー，ディジタル信号プロセッサー（ＤＳＰ），特定用途向け集積回路ＩＣ（ＡＳＩＣ）またはプログラマブル・ロジック回路であることを特徴とする請求項９記載のパワー制御方法。
【請求項１２】
当該仕事パラメーター信号は、異なる温度下では当該レーザー・モジュールの対応する必要な多項の開始電流出力パラメーターとパワー・パラメーターであることを特徴とする請求項９記載のパワー制御方法。
【請求項１３】
当該ディジタル制御ユニットは、温度センサーを一つ具し、環境の温度を検出し且つ当該温度値を対応的に生成するように用いられることが出来ることを特徴とする請求項９記載のパワー制御方法。
【請求項１４】
当該ディジタル制御ユニットが当該検出信号と対照表にて見付けられた当該パラメーター信号とを比較する時に、当該検出信号が対照表にて見付けられた当該パラメーター信号よりも大きくなる時に、当該ディジタル制御ユニットは当該駆動信号の駆動能力を低減し、そして当該検出信号が対照表に見付けられた当該パラメーター信号よりも小さくなる時に、当該ディジタル制御ユニットは当該駆動信号の駆動能力を向上することを特徴とする請求項９記載のパワー制御方法。
【請求項１５】
当該駆動信号は、電流駆動信号であることを特徴とする請求項９記載のパワー制御方法。
【請求項１６】
ひいては当該ディジタル制御ユニットは、当該レーザー・モジュールが予め設定された値を上回るかどうかを判断し、是と判断すれば、当該ディジタル制御ユニットが当該レーザー・モジュールの仕事電流をオフすることを含むを特徴とする請求項９記載のパワー制御方法。
【請求項１７】
当該レーザー・モジュールは、レーザー・ダイオード励起式固体レーザーであることを特徴とする請求項９記載のパワー制御方法。
【発明の詳細な説明】
【技術分野】
【０００１】
本発明は、パワー制御装置に関し、特にレーザー・モジュールのパワー制御装置及びその方法に関する。
【背景技術】
【０００２】
１９６０年にルビー・レーザーの開発が固体レーザーの発展を開き、レーザー・ダイオードの製作技術の向上に伴い、固体レーザーの励起光源が従来のフラッシュをパワーの高いレーザー・ダイオードへと次第に変換してきた。レーザー・ダイオードにより励起する利点は、レーザー波長を固体イネーブル・メディアの吸収スペクトラム・バンド内に制御でき、これにより、固体レーザーの出力効率を向上でき、同時に不要な熱の累積も低減するものである。そして非線型クリスタルの周波数変換方式を利用することにより、可視光レーザーの出力を取得できる。しかしながら非線型変換の方式は、環境の温度，メカニズムの安定度，組立ての方式など…に伴い、変換された後における出力パワーの安定度が、非線型の変化を呈し、どのようにして穏やかな出力パワーを具備するように良好に制御するのかは、非線型変換の可視光固体レーザーにとっては、重大な難題である。
【０００３】
従来、大部分のレーザー・ダイオードの励起式固体レーザーの駆動回路は、半導体レーザー駆動回路の作法を継続することが多い。アナログ回路を制御の方式とする場合は、例えば台湾特許第２２５１９０号のように、即ち光ディスク駆動装置を制御する光学ヘッドの自動パワー・コントローラーを提供し、これは一つの検出器，一つの信号ソース，一つの比較器，一つの切替可能なイネーブル増幅器と一つの駆動ユニットなどのアナログ回路を含む制御方式を採用している。しかしながらレーザー・ダイオードの励起式固体レーザーに必要な電流が、半導体レーザーの駆動電流よりも大幅に高くなり、従って回路の放熱処理及び電子素子の受熱後における生成した変化がいずれも出力パワーの安定度に影響を及ぼす。伝統的なアナログ回路の作法により温度補償をする部分があれば、回路が巨大かつ複雑になり、更に、ひいては電子素子がショート又は遮断を発生する時に即時に検出し且つ保護できるように考慮すれば、これらの対策により回路がより巨大かつ複雑になる。さらに、光学の方面では、レーザーが非線型から可視光レーザーに変換した後に、その出力のパワーが環境の温度、即ち非線型の変化に随従し、回路の反応があまり速くなくて制御が異常になれば、その次にレーザーのパワーも安定性を失うことになる。
【特許文献１】台湾特許第２２５１９０号公報
【発明の開示】
【発明が解決しようとする課題】
【０００４】
本発明の解決しようとする技術問題は、ディジタル化の制御方式及び整合温度補償により、レーザー・モジュールのパワーを穏やかに出力するように制御するパワー制御装置及びその方法を提供するものである。
【課題を解決するための手段】
【０００５】
前述の技術問題を解決するために、本発明の提案に基づいてパワー制御装置を提供し、これは、レーザー・モジュールのパワー出力を制御するものであって、レーザー・モジュールのパワー出力を検出し且つ検出信号を対応的に生成するフィードバック・ユニットを含む。校正パラメーター表及び温度検出器を具備するディジタル制御ユニットが、この校正パラメーター表には異なる温度下ではレーザー・モジュールの対応する仕事パラメーター信号の関係を記録する。このディジタル制御ユニットは、当該検出信号を受信するように用いられ、且つ温度検出器に基づいて環境温度のある温度値を検出することにより、対照表の方式にて校正パラメーター表の中から温度値の対応する仕事パラメーター信号を見付け、当該検出信号と対照表にて見付けられた仕事パラメーター信号とを比較することにより、駆動信号を出力する。さらに、駆動ユニットはディジタル制御ユニットの出力した駆動信号を受信することにより、当該レーザー・モジュールを駆動するが、従って当該検出信号が対照表にて見付けられた仕事パラメーター信号よりも大きくなる時に、ディジタル制御ユニットは駆動信号の駆動能力を低減すべきで、そして当該検出信号が対照表にて見付けられた仕事パラメーター信号よりも小さくなる時に、ディジタル制御ユニットは駆動信号の駆動能力を向上する。
【０００６】
前述の技術問題を解決するために、本発明の他の提案に基づいてパワー制御方法を提供し、これは、レーザー・モジュールのパワー出力を制御するものであって、レーザー・モジュールのパワー出力を検出し且つ検出信号を対応的に生成することを含む。校正パラメーター表を具備するディジタル制御ユニットを提供し、校正パラメーター表には異なる温度下ではレーザー・モジュールの対応する仕事パラメーター信号の関係を記録する。環境の温度を検出し、且つ温度値を対応的に生成する。ディジタル制御ユニットは、温度値に対し、対照表の方式にて校正パラメーター表の中から、温度値の対応するパラメーター信号を見付ける。ディジタル制御ユニットが検出信号と対照表にて見付けられた仕事パラメーター信号とを比較することにより、駆動信号を出力し、また駆動信号をレーザー・モジュールへ出力する。
【発明の効果】
【０００７】
本発明のパワー制御装置及びその方法を採用することにより、多過ぎるアナログ回路を使わない下では、ディジタル化の制御方式にて温度補償技術を実行し、レーザー・モジュールのパワーを穏やかに出力でき、そして環境，温度により影響を及ぼさない。
【発明を実施するための最良の形態】
【０００８】
本発明が予定の目的を達成するために採用される技術，手段と効果であることをより了解できるために、以下の本発明に関する詳細な説明と添付の図面を参照し、本考案の目的，特徴と特色がこれにより深い具体的な理解を取得できると信ずるが、ただ添付の図面が参考と説明用のみに供され、本発明をより限定するために用いられるわけではない。
【０００９】
本実施例は、パワー制御装置を提供し、主としてレーザー・モジュールのパワーを穏やかに出力できるように制御するためで、そして本実施例中に指すレーザー・モジュールは、レーザー・ダイオードの励起式固体レーザーを説明とするが、ただしこれに限らず、他のレーザーにも応用できる。従来の技術中では、レーザー・ダイオードに対するパワー制御はアナログ方式を採用することが多いが、しかしながら固体レーザーのパワー出力が環境，温度にて影響を及ぼしやすくなることにより、不安定な状態を呈する。従って、本実施例は、特別に改めてディジタル方式により、固体レーザーのパワー出力を制御する。
【００１０】
図１及び図２を同時に参照し、図１に示すのがレーザー電子装置で、固体レーザー１０，フィードバック・ユニット１２，ディジタル制御ユニット１４，駆動ユニット１６，過電流保護ユニット１８，押しボタン・ユニット２０，発光ダイオード駆動ユニット２２および発光ダイオード２４を含む。フィードバック・ユニット１２，ディジタル制御ユニット１４，駆動ユニット１６と過電流保護ユニット１８は、固体レーザー１０のパワー出力を制御するように用いられる。押しボタン・ユニット２０は、固体レーザーを起動し又は閉鎖するように用いられる。発光ダイオード駆動ユニット２２及び発光ダイオード２４は、固体レーザー１０を既に起動するかどうかを指示するように用いられ、例えば発光ダイオード２４の点灯により、固体レーザー１０を既に起動することを代表する。つまり固体レーザー１０の中には、レーザー・ダイオード１０１とレーザー・クリスタル１０３を含み、レーザー・ダイオード１０１もレーザー・クリスタル１０３の励起光源とする。
【００１１】
本実施例は、どのようにして固体レーザー１０のパワー出力を制御するのかについて、フィードバック・ユニット１２により、固体レーザー１０のパワー出力を検出し、且つ検出信号をディジタル制御ユニット１４へ対応的に出力する。本実施例のフィードバック・ユニット１２は、一つの検出器１２１及び一つの増幅器１２３を含み、検出器１２１にて固体レーザー１０の輝度出力を検出することにより、固体レーザー１０のパワー出力を反映し（検出器１２１は光検出器であってもよい）、その後、再び増幅器１２３により、検出器１２１にて検出された結果から取得した信号に対し増幅処理することにより、検出信号を取得し、且つディジタル制御ユニット１４へ出力する。
【００１２】
ディジタル制御ユニット１４は、フィードバック・ユニット１２から出力された検出信号を受信した後に、この検出信号と仕事パラメーター信号とを比較することにより、駆動信号を駆動ユニット１６へ出力する。しかしながら、本実施例中では、照合に供する仕事パラメーター信号が固定不変ではなく、環境，温度の変化に伴い、出力を対応的に調整できるようになっており、この機能を達成するために、ディジタル制御ユニット１４は、校正パラメーター表１４１及び温度検出器１４３を提供する。そして固体レーザー１０が異なる温度下では動作時に、依然としてパワーを穏やかに出力するように保持でき、校正パラメーター表１４１は異なる温度下では固体レーザー１０の対応する仕事パラメーター信号の関係を記録し、そしてこれらの仕事パラメーター信号は、即ち異なる温度下では固体レーザー１０の対応する必要な多項の開始電流出力パラメーターとパワー・パラメーターとからなる。一方、環境の温度を検出できるために、本実施例は温度検出器１４３にて検出された環境の温度から温度値の出力を取得できる。本実施例のディジタル制御ユニット１４は、マイクロプロセッサー，マイクロコントローラー，ディジタル信号プロセッサー（ＤＳＰ），特定用途向け集積回路ＩＣ（ＡＳＩＣ）またはプログラマブル・ロジック回路であってもよい。そして温度検出器１４３はディジタル制御ユニット１４自身に直接的に内蔵できる以外に、外付けの方式を介してディジタル制御ユニット１４にも接続できる。
【００１３】
従ってディジタル制御ユニット１４は、この検出信号と仕事パラメーター信号とを比較する時に、まず温度検出器１４３により目前の環境温度の温度値を検出し、さらにこの温度値に対し対照表の方式にて校正パラメーター表１４１から対応する仕事パラメーター信号を見付け後に、最後にやっと検出信号と対照表を介して見付けられた仕事パラメーター信号とを比較する。そして比較した結果は、当該検出信号が対照表にて見付けられた仕事パラメーター信号よりも大きくなる時に、当該ディジタル制御ユニット１４が当該駆動信号の駆動能力を低減することにより固体レーザー１０のパワー出力を低減し、逆に検出信号が対照表にて見付けられた仕事パラメーター信号よりも小さくなる時に、当該ディジタル制御ユニット１４は当該駆動信号の駆動能力を向上することにより固体レーザー１０のパワー出力を増加する。同時に本実施例のディジタル制御ユニット１４は、フィードバック・ユニット１２から出力された検出信号を絶えずに受信し、再びディジタル制御ユニット１４の内部の運算処理比較を経由した後に、即ち駆動信号の出力を絶えずに修正できることにより、固体レーザー１０のパワー出力が穏やかに表現できる。
【００１４】
そして駆動ユニット１６は、つまりディジタル制御ユニット１４の出力した駆動信号を受信するが、この駆動信号により固体レーザー１０を駆動する。本実施例の駆動ユニット１６は電流駆動ユニットであるが、従って固体レーザー１０のパワー出力を増大するように制御しようとする時に、ディジタル制御ユニット１４は駆動電流を増大する制御方式を介して完成でき、そして固体レーザー１０のパワー出力を低減するように制御しようとする時に、ディジタル制御ユニット１４は駆動電流を低減する制御方式を介して完成できる。そして、回路保護対策の方面では、固体レーザー１０中のレーザー・ダイオード１０１の仕事電流がより大きいため、本実施例の提供する過電流保護ユニット１８は、レーザー・ダイオード１０１の仕事電流を検出でき、且つこの仕事電流をディジタル制御ユニット１４へ出力でき、ディジタル制御ユニット１４が、つまり取得したレーザー・ダイオード１０１の仕事電流と予め設定された値とを比較することに基づいて、レーザー・ダイオード１０１の仕事電流が予め設定された値よりも大きくなる時に、ディジタル制御ユニット１４が一つの信号を出力して過電流保護ユニット１８を制御することにより、レーザー・ダイオード１０１の仕事電流をオフする。
【００１５】
そして固体レーザー１０の起動制御の方面では、ディジタル制御ユニット１４は押しボタン・ユニット２０を押すことを検出する時に、つまり予め設定された駆動信号を駆動ユニット１６へ出力し、駆動ユニット１６により固体レーザー１０を起動するように制御するが、固体レーザー１０が起動されると、固体レーザー１０の出力パワー制御方式は、つまり本実施例の前述の方式に従って制御を行い、且つディジタル制御ユニット１４も一つの信号を発光ダイオード駆動ユニット２２へ出力することにより、発光ダイオード駆動ユニット２２は、発光ダイオード２４が点灯するように制御することにより、目前の固体レーザー１０が既に起動されたことを指示する。
【００１６】
図３は本発明のより好ましい実施例の操作フローチャートとして参照するが、下記のステップＳを含んでなるが、まず押しボタン・ユニット２０の押しにより固体レーザー１０を起動し（Ｓ３０１）、再びフィードバック・ユニット１２により固体レーザー１０のパワー出力を検出し（Ｓ３０３）、この後、ディジタル制御ユニット１４から、対照表の方式により、固体レーザー１０の出力パワーが目標の効率よりも大きくなるかどうかを検査する（Ｓ３０５）。このステップ中では、本実施例は、まず温度センサー１４３により目前の環境温度の温度値を測定した後に、対照表の方式にて温度値の対応する仕事パラメーター信号を見付け、この仕事パラメーター信号がつまり検出信号との比較を行なうように用いられる目標のパワーとなる。
【００１７】
そしてステップＳ３０５中では、比較した結果が是（YES）であれば、目前の固体レーザー１０のパワー出力が大き過ぎることを表示し、ディジタル制御ユニット１４が駆動信号の駆動能力を低減し、本実施例は、固体レーザー１０の駆動電流を低減することにより達成する（Ｓ３０７）。そしてステップＳ３０５中の比較した結果が否（NO）であれば、目前の固体レーザー１０のパワー出力が小さ過ぎることを表示し、ディジタル制御ユニット１４が駆動信号の駆動能力を増大し、本実施例は、固体レーザー１０の駆動電流を増大することにより達成する（Ｓ３０９）。最後に再び押しボタン・ユニット２０が固体レーザー１０の仕事を閉鎖するように押されるかどうかを判断し（Ｓ３１１）、判断した結果が否であれば、ステップＳ３０５に戻し、続けて実行するが、判断した結果が是であれば、この流れを終了する。
【００１８】
以上の記述を総合し、本実施例は、レーザー・モジュールに用いられるパワー制御装置及びその方法を提供し、ディジタル化方式によりレーザー・モジュールの出力パワーを制御し、これが温度補償の機能を具備することで、レーザー・モジュールのその時の環境温度に基づいてレーザー・モジュール中のレーザー・ダイオードの駆動電流を対応的に調整でき、特にレーザー・ダイオードの励起式固体レーザーに対応することについて、本実施例の提供するパワー制御装置を応用することにより、レーザー・ダイオードの励起式固体レーザーの出力パワーが安定化し、且つパワー制御装置の温度操作範囲も拡大できる。
【００１９】
よって本発明は確かに前述の掲示した技術により、完全に従来とは異なる設計を提供でき、全体の利用価値を向上でき、またその出願前ではまだ出版物に現れない或いは公開的に使用されなく、誠にすでに発明特許の要件に適合し、ここに特許法により発明特許の出願を提出する。
【００２０】
ただし前述の掲示した図面，説明は、本発明の実施例のみで、いかなる当該技術をよく分かる者でも、前述の説明に基づいて他の様々な改良が出来、そしてこれらの変更が依然として本発明の発明精神および以下の限定された特許請求の範囲中に属する。
【図面の簡単な説明】
【００２１】
【図１】本発明のより好ましい実施例の回路ブロック図である。
【図２】本発明の回路ループ図である。
【図３】本発明のより好ましい実施例の操作フローチャートである。
【符号の説明】
【００２２】
１０  固体レーザー
１２  フィードバック・ユニット
１４  ディジタル制御ユニット
１６  駆動ユニット
１８  過電流保護ユニット
２０  押しボタン・ユニット
２２  発光ダイオード駆動ユニット
２４  発光ダイオード
１０１  レーザー・ダイオード
１０３  レーザー・クリスタル
１２１  光検出器
１２３  増幅器
１４１  校正パラメーター表
１４３  温度検出器
【図１】
2007005753.tif 000003
【図２】
2007005753.tif 000004
【図３】
2007005753.tif 000005
【手続補正書】
【提出日】平成18年10月17日(2006.10.17)
【手続補正１】
【補正対象書類名】特許請求の範囲
【補正対象項目名】全文
【補正方法】変更
【補正の内容】
【特許請求の範囲】
【請求項１】
レーザー・モジュールのパワー出力を制御するパワー制御装置であって、
当該レーザー・モジュールのパワー出力を検出し、且つ検出信号を対応的に生成するフィードバック・ユニットと、
校正パラメーター表及び温度検出器を具備し、異なる温度下では当該レーザー・モジュールの対応する開始電流出力パラメーターとパワー・パラメーターとを含む仕事パラメーター信号を記録し、当該温度検出器が環境温度から検出された温度値を生成し、ディジタル制御ユニットが当該検出信号を受信するように用いられ、且つ対照表の方式にて当該校正パラメーター表の中から当該温度値の対応する当該仕事パラメーター信号を見付け、且つ当該検出信号と対照表にて見付けられた当該仕事パラメーター信号とを比較することにより駆動信号を出力するディジタル制御ユニットと、
当該ディジタル制御ユニットの出力した当該駆動信号を受信することにより当該レーザー・モジュールを駆動する駆動ユニットと、
当該ディジタル制御ユニットを介して当該レーザー・モジュールのスイッチをオン/オフする押し信号を当該駆動ユニットへ送信する押しボタン・ユニットとを含み、
当該検出信号が当該校正パラメーター表にて見付けられた当該仕事パラメーター信号よりも大きくなるときに、当該ディジタル制御ユニットは当該駆動信号の駆動能力を低減し、当該検出信号が当該校正パラメーター表にて見付けられた当該仕事パラメーター信号よりも小さくなるときに、当該ディジタル制御ユニットは当該駆動信号の駆動能力を増加させ、
環境温度変化に対してレーザー・モジュールのパワーを穏やかに出力することを特徴とするパワー制御装置。
【請求項２】
当該フィードバック・ユニットは、
当該レーザー・モジュールのパワー出力を検出する検出器と、
当該検出器の検出した結果を増幅することにより当該検出信号を取得する増幅器と含むことを特徴とする請求項１記載のパワー制御装置。
【請求項３】
当該検出器は、光検出器であることを特徴とする請求項２記載のパワー制御装置。
【請求項４】
当該ディジタル制御ユニットは、マイクロコントローラー，ディジタル信号プロセッサー（ＤＳＰ），特定用途向け集積回路ＩＣ（ＡＳＩＣ）またはプログラマブル・ロジック回路であることを特徴とする請求項１記載のパワー制御装置。
【請求項５】
当該駆動ユニットは、電流駆動ユニットであることを特徴とする請求項１記載のパワー制御装置。
【請求項６】
過電流保護ユニットをさらに含み、過電流保護ユニットは、当該レーザー・モジュールの仕事電流を検出し、且つ当該レーザー・モジュールの仕事電流を当該ディジタル制御ユニットへ出力し、当該ディジタル制御ユニットにて当該レーザー・モジュールの仕事電流が予め設定された値を上回るかどうかを判断することにより、当該レーザー・モジュールの仕事電流のオフを決定することを特徴とする請求項１記載のパワー制御装置。
【請求項７】
当該レーザー・モジュールは、レーザー・ダイオード励起式固体レーザーであることを特徴とする請求項１記載のパワー制御装置。
【請求項８】
レーザー・モジュールのパワー出力を制御するパワー制御方法であって、
当該レーザー・モジュールのパワー出力を検出し且つ検出信号を対応的に生成することと、
ディジタル制御ユニットを提供し、当該ディジタル制御ユニットが校正パラメーター表を具備し、異なる温度下では当該レーザー・モジュールの対応する開始電流出力パラメーターとパワー・パラメーターとを含む仕事パラメーター信号を記録することと、
当該ディジタル制御ユニットの温度検出器により環境の温度を検出し且つ温度値を対応的に生成することと、
当該ディジタル制御ユニットの温度検出器が当該温度値に対し対照表の方式にて当該校正パラメーター表の中から当該温度値の対応する当該仕事パラメーター信号を見付けることと、
当該ディジタル制御ユニットが当該検出信号と当該校正パラメーター表にて見付けられた当該仕事パラメーター信号とを比較することにより駆動信号を出力することと、
当該駆動信号が当該校正パラメーター表にて見付けられた当該仕事パラメーター信号よりも大きくなるときに、当該ディジタル制御ユニットが当該レーザー・モジュールに対する当該駆動信号の出力を低減することと、
当該駆動信号が当該校正パラメーター表にて見付けられた当該仕事パラメーター信号よりも小さくなるときに、当該ディジタル制御ユニットが当該駆動信号の出力を増加させること、により
環境温度変化に対してレーザー・モジュールのパワーを穏やかに出力することを特徴とするパワー制御方法。
【請求項９】
当該レーザー・モジュールのパワー出力を検出するのは、光検出器により当該レーザー・モジュールに対し検出を行い、且つ検出された後における信号を増幅することにより、当該検出信号を取得することを特徴とする請求項８記載のパワー制御方法。
【請求項１０】
当該ディジタル制御ユニットは、マイクロコントローラー，ディジタル信号プロセッサー（ＤＳＰ），特定用途向け集積回路ＩＣ（ＡＳＩＣ）またはプログラマブル・ロジック回路であることを特徴とする請求項８記載のパワー制御方法。
【請求項１１】
当該駆動信号は、電流駆動信号であることを特徴とする請求項９８記載のパワー制御方法。
【請求項１２】
当該ディジタル制御ユニットは、当該レーザー・モジュールが予め設定された値を上回るかどうかを判断し、是と判断すれば、当該ディジタル制御ユニットが当該レーザー・モジュールの仕事電流をオフすることを特徴とする請求項８記載のパワー制御方法。
【請求項１３】
当該レーザー・モジュールは、レーザー・ダイオード励起式固体レーザーであることを特徴とする請求項８記載のパワー制御方法。 
【手続補正２】
【補正対象書類名】明細書
【補正対象項目名】０００５
【補正方法】変更
【補正の内容】
【０００５】
前述の技術問題を解決するために、本発明の提案に基づいてパワー制御装置を提供し、これは、レーザー・モジュールのパワー出力を制御するものであって、レーザー・モジュールのパワー出力を検出し且つ検出信号を対応的に生成するフィードバック・ユニットを含む。校正パラメーター表及び温度検出器を具備するディジタル制御ユニットが、この校正パラメーター表には異なる温度下ではレーザー・モジュールの対応する仕事パラメーター信号を記録する。このディジタル制御ユニットは、当該検出信号を受信するように用いられ、且つ温度検出器に基づいて環境温度のある温度値を検出することにより、対照表の方式にて校正パラメーター表の中から温度値の対応する仕事パラメーター信号を見付け、当該検出信号と対照表にて見付けられた仕事パラメーター信号とを比較することにより、駆動信号を出力する。さらに、駆動ユニットはディジタル制御ユニットの出力した駆動信号を受信することにより、当該レーザー・モジュールを駆動する。その結果、当該検出信号が当該校正パラメーター表にて見付けられた仕事パラメーター信号よりも大きくなるときに、ディジタル制御ユニットは駆動信号の駆動能力を低減し、当該検出信号が当該校正パラメーター表にて見付けられた仕事パラメーター信号よりも小さくなるときに、ディジタル制御ユニットは駆動信号の駆動能力が増加する。
【手続補正書】
【提出日】平成18年10月17日(2006.10.17)
【手続補正１】
【補正対象書類名】特許請求の範囲
【補正対象項目名】全文
【補正方法】変更
【補正の内容】
【特許請求の範囲】
【請求項１】
レーザー・モジュールのパワー出力を制御するパワー制御装置であって、
当該レーザー・モジュールのパワー出力を検出し、且つ検出信号を対応的に生成するフィードバック・ユニットと、
校正パラメーター表及び温度検出器を具備し、異なる温度下では当該レーザー・モジュールの対応する開始電流出力パラメーターとパワー・パラメーターとを含む仕事パラメーター信号を記録し、当該温度検出器が環境温度から検出された温度値を生成し、ディジタル制御ユニットが当該検出信号を受信するように用いられ、且つ対照表の方式にて当該校正パラメーター表の中から当該温度値の対応する当該仕事パラメーター信号を見付け、且つ当該検出信号と対照表にて見付けられた当該仕事パラメーター信号とを比較することにより駆動信号を出力するディジタル制御ユニットと、
当該ディジタル制御ユニットの出力した当該駆動信号を受信することにより当該レーザー・モジュールを駆動する駆動ユニットと、
当該ディジタル制御ユニットを介して当該レーザー・モジュールのスイッチをオン/オフする押し信号を当該駆動ユニットへ送信する押しボタン・ユニットとを含み、
当該検出信号が当該校正パラメーター表にて見付けられた当該仕事パラメーター信号よりも大きくなるときに、当該ディジタル制御ユニットは当該駆動信号の駆動能力を低減し、当該検出信号が当該校正パラメーター表にて見付けられた当該仕事パラメーター信号よりも小さくなるときに、当該ディジタル制御ユニットは当該駆動信号の駆動能力を増加させ、
環境温度変化に対してレーザー・モジュールのパワーを穏やかに出力することを特徴とするパワー制御装置。
【請求項２】
当該フィードバック・ユニットは、
当該レーザー・モジュールのパワー出力を検出する検出器と、
当該検出器の検出した結果を増幅することにより当該検出信号を取得する増幅器と含むことを特徴とする請求項１記載のパワー制御装置。
【請求項３】
当該検出器は、光検出器であることを特徴とする請求項２記載のパワー制御装置。
【請求項４】
当該ディジタル制御ユニットは、マイクロコントローラー，ディジタル信号プロセッサー（ＤＳＰ），特定用途向け集積回路ＩＣ（ＡＳＩＣ）またはプログラマブル・ロジック回路であることを特徴とする請求項１記載のパワー制御装置。
【請求項５】
当該駆動ユニットは、電流駆動ユニットであることを特徴とする請求項１記載のパワー制御装置。
【請求項６】
過電流保護ユニットをさらに含み、過電流保護ユニットは、当該レーザー・モジュールの仕事電流を検出し、且つ当該レーザー・モジュールの仕事電流を当該ディジタル制御ユニットへ出力し、当該ディジタル制御ユニットにて当該レーザー・モジュールの仕事電流が予め設定された値を上回るかどうかを判断することにより、当該レーザー・モジュールの仕事電流のオフを決定することを特徴とする請求項１記載のパワー制御装置。
【請求項７】
当該レーザー・モジュールは、レーザー・ダイオード励起式固体レーザーであることを特徴とする請求項１記載のパワー制御装置。
【請求項８】
レーザー・モジュールのパワー出力を制御するパワー制御方法であって、
当該レーザー・モジュールのパワー出力を検出し且つ検出信号を対応的に生成することと、
ディジタル制御ユニットを提供し、当該ディジタル制御ユニットが校正パラメーター表を具備し、異なる温度下では当該レーザー・モジュールの対応する開始電流出力パラメーターとパワー・パラメーターとを含む仕事パラメーター信号を記録することと、
当該ディジタル制御ユニットの温度検出器により環境の温度を検出し且つ温度値を対応的に生成することと、
当該ディジタル制御ユニットの温度検出器が当該温度値に対し対照表の方式にて当該校正パラメーター表の中から当該温度値の対応する当該仕事パラメーター信号を見付けることと、
当該ディジタル制御ユニットが当該検出信号と当該校正パラメーター表にて見付けられた当該仕事パラメーター信号とを比較することにより駆動信号を出力することと、
当該駆動信号が当該校正パラメーター表にて見付けられた当該仕事パラメーター信号よりも大きくなるときに、当該ディジタル制御ユニットが当該レーザー・モジュールに対する当該駆動信号の出力を低減することと、
当該駆動信号が当該校正パラメーター表にて見付けられた当該仕事パラメーター信号よりも小さくなるときに、当該ディジタル制御ユニットが当該駆動信号の出力を増加させること、により
環境温度変化に対してレーザー・モジュールのパワーを穏やかに出力することを特徴とするパワー制御方法。
【請求項９】
当該レーザー・モジュールのパワー出力を検出するのは、光検出器により当該レーザー・モジュールに対し検出を行い、且つ検出された後における信号を増幅することにより、当該検出信号を取得することを特徴とする請求項８記載のパワー制御方法。
【請求項１０】
当該ディジタル制御ユニットは、マイクロコントローラー，ディジタル信号プロセッサー（ＤＳＰ），特定用途向け集積回路ＩＣ（ＡＳＩＣ）またはプログラマブル・ロジック回路であることを特徴とする請求項８記載のパワー制御方法。
【請求項１１】
当該駆動信号は、電流駆動信号であることを特徴とする請求項８記載のパワー制御方法。
【請求項１２】
当該ディジタル制御ユニットは、当該レーザー・モジュールが予め設定された値を上回るかどうかを判断し、是と判断すれば、当該ディジタル制御ユニットが当該レーザー・モジュールの仕事電流をオフすることを特徴とする請求項８記載のパワー制御方法。
【請求項１３】
当該レーザー・モジュールは、レーザー・ダイオード励起式固体レーザーであることを特徴とする請求項８記載のパワー制御方法。 
【手続補正２】
【補正対象書類名】明細書
【補正対象項目名】０００５
【補正方法】変更
【補正の内容】
【０００５】
前述の技術問題を解決するために、本発明の提案に基づいてパワー制御装置を提供し、これは、レーザー・モジュールのパワー出力を制御するものであって、レーザー・モジュールのパワー出力を検出し且つ検出信号を対応的に生成するフィードバック・ユニットを含む。校正パラメーター表及び温度検出器を具備するディジタル制御ユニットが、この校正パラメーター表には異なる温度下ではレーザー・モジュールの対応する仕事パラメーター信号を記録する。このディジタル制御ユニットは、当該検出信号を受信するように用いられ、且つ温度検出器に基づいて環境温度のある温度値を検出することにより、対照表の方式にて校正パラメーター表の中から温度値の対応する仕事パラメーター信号を見付け、当該検出信号と対照表にて見付けられた仕事パラメーター信号とを比較することにより、駆動信号を出力する。さらに、駆動ユニットはディジタル制御ユニットの出力した駆動信号を受信することにより、当該レーザー・モジュールを駆動する。その結果、当該検出信号が当該校正パラメーター表にて見付けられた仕事パラメーター信号よりも大きくなるときに、ディジタル制御ユニットは駆動信号の駆動能力を低減し、当該検出信号が当該校正パラメーター表にて見付けられた仕事パラメーター信号よりも小さくなるときに、ディジタル制御ユニットは駆動信号の駆動能力が増加する。